(57)【要約】【課題】制動時のサイプによる吸水効果を改善し、氷雪路走行時の制動性能を向上することが可能な空気入りタイヤを提供する。【解決手段】トレッド面１にタイヤ周方向Ｔに延在する主溝２とタイヤ幅方向に延在する横溝３により区画したブロック４が形成されている。ブロック４の接地表面４ａの蹴り出し側の領域４Ｘにのみタイヤ周方向Ｔに延在するサイプ６が設けられている。蹴り出し側の領域４Ｘより踏み込み側に位置する領域４Ｙには、タイヤ幅方向に延在するサイプ５が設けられている。【選択図】図１
2004345433.tif 000002
【特許請求の範囲】
【請求項１】
トレッド面にタイヤ周方向に延在する主溝とタイヤ幅方向に延在する横溝により区画したブロックを形成し、各ブロックの接地表面にタイヤ幅方向に延在する複数のサイプを設けた空気入りタイヤにおいて、
前記タイヤ幅方向に延在するサイプを前記ブロックの接地表面の蹴り出し側の領域より踏み込み側に位置する領域に設け、タイヤ周方向に延在するサイプを前記蹴り出し側の領域にのみ設けた空気入りタイヤ。
【請求項２】
前記タイヤ周方向に延在するサイプがタイヤ周方向に対して０〜４５°の範囲で延在する請求項１に記載の空気入りタイヤ。
【請求項３】
前記タイヤ周方向に延在するサイプをタイヤ幅方向に所定の間隔で配置し、該サイプの蹴り出し側端をブロック内に位置させた請求項１または２に記載の空気入りタイヤ。
【請求項４】
前記タイヤ周方向に延在するサイプをタイヤ幅方向に所定の間隔で配置し、該サイプの蹴り出し側端をブロック内に位置させたサイプと前記横溝に連通するサイプを交互に配置した請求項１または２に記載の空気入りタイヤ。
【請求項５】
前記タイヤ周方向に延在するサイプ及び前記タイヤ幅方向に延在するサイプが屈曲部を有して延在する請求項１，２，３または４に記載の空気入りタイヤ。
【請求項６】
前記空気入りタイヤが氷雪路用空気入りタイヤである請求項１，２，３，４または５に記載の空気入りタイヤ。
【発明の詳細な説明】
【０００１】
【発明の属する技術分野】
本発明は、空気入りタイヤに関し、更に詳しくは、氷雪路における制動性能を改善するようにした空気入りタイヤに関する。
【０００２】
【従来の技術】
一般に、氷雪路で使用される空気入りタイヤは、トレッド面にタイヤ周方向に延在する主溝とタイヤ幅方向に延在する横溝により区画した各ブロックの接地表面にタイヤ幅方向に延在する複数のサイプを設け、該サイプのエッジ効果と水膜を除去する吸水効果により高い氷雪路走行性能を確保するようにしている（例えば、特許文献１参照）。
【０００３】
【特許文献１】
特開２００１−２７７８１７号公報（２頁、図３及び図４）
【０００４】
【発明が解決しようとする課題】
しかしながら、制動時にブロックの蹴り出し側端部に大きな応力が作用するため、蹴り出し側のサイプが大きく開き、そこに雪などが詰まってサイプが開いた状態になるため、吸水効果を十分に発揮できないという問題があった。
【０００５】
本発明は、制動時のサイプによる吸水効果を改善し、氷雪路走行時の制動性能を向上することが可能な空気入りタイヤを提供することにある。
【０００６】
【課題を解決するための手段】
上記目的を達成する本発明は、トレッド面にタイヤ周方向に延在する主溝とタイヤ幅方向に延在する横溝により区画したブロックを形成し、各ブロックの接地表面にタイヤ幅方向に延在する複数のサイプを設けた空気入りタイヤにおいて、前記タイヤ幅方向に延在するサイプを前記ブロックの接地表面の蹴り出し側の領域より踏み込み側に位置する領域に設け、タイヤ周方向に延在するサイプを前記蹴り出し側の領域にのみ設けたことを特徴とする。
【０００７】
このようにブロックの蹴り出し側の領域にタイヤ周方向に延在するサイプを設けることで、制動時にブロックの蹴り出し側端部に大きな応力が作用しても蹴り出し側のサイプを開き難くすることができるので、雪などが詰まってサイプが開いた状態になるのを防ぐことができる。そのため、高い吸水効果を得ることができ、それによって滑りの一因である水膜を除去してブロック接地表面の蹴り出し側の領域の接地性を向上すると共に、高いエッジ効果を発揮することができる。
【０００８】
タイヤ周方向に延在するサイプを蹴り出し側の領域にのみ設け、それ以外の領域にタイヤ幅方向に延びるサイプを配置するので、各サイプによる高い吸水効果とエッジ効果を発揮し、氷雪路における制動性能を向上することができる。
【０００９】
【発明の実施の形態】
以下、本発明の構成について添付の図面を参照しながら詳細に説明する。
【００１０】
図１は本発明の空気入りタイヤの一実施形態を示し、トレッド面１にはタイヤ周方向Ｔに沿って延在する複数の主溝２が設けられている。タイヤ幅方向に延在する横溝３がタイヤ周方向Ｔに沿って所定のピッチで配置され、これら主溝２と横溝３により区画された多数のブロック４が形成されている。
【００１１】
各ブロック４の接地表面４ａには、タイヤ幅方向に延在する複数のサイプ５とタイヤ周方向Ｔに延在する複数のサイプ６が設けられている。
【００１２】
タイヤ周方向Ｔに延在するサイプ６は、タイヤ幅方向に所定の間隔で接地表面４ａの蹴り出し側の領域４Ｘにのみ配置され、横溝３に連通せずに蹴り出し側端６ａをブロック４内に位置している。各サイプ６は、１つの屈曲部６ｂを有してタイヤ周方向Ｔに沿って延在している。
【００１３】
タイヤ幅方向に延在するサイプ５は、タイヤ周方向Ｔに所定の間隔で蹴り出し側の領域４Ｘより踏み込み側に位置する領域４Ｙにのみ設けられている。最も踏み込み側に位置するサイプ５Ａは、主溝２に連通せずにその両端がブロック４内に位置している。残りのサイプ５Ｂはその両端が主溝２に連通している。各サイプ５は、複数の屈曲部５ｚを有し、タイヤ幅方向にジグザグ状に延在している。
【００１４】
上述した本発明によれば、ブロック４の蹴り出し側の領域４Ｘにタイヤ周方向Ｔに延在するサイプ６を設けたので、制動時にブロック４の蹴り出し側端部に大きな応力が作用した際にサイプ６の開きを抑制することができる。そのため、雪などが詰まってサイプ６が開いた状態になるのを防ぐことができる結果、高い吸水効果を発揮し、それにより水膜を除去して路面に接地表面４ａの蹴り出し側の領域４Ｘの接地性を向上させると共に、高いエッジ効果を発揮することができる。
【００１５】
タイヤ周方向Ｔに延在するサイプ６を蹴り出し側の領域４Ｘにのみ配置し、それ以外の領域４Ｙにタイヤ幅方向に延びるサイプ５を配置したので、各サイプ５，６による高い吸水効果とエッジ効果を発揮することができ、従って、氷雪路走行時の制動性能を向上することが可能になる。
【００１６】
図２は、上述したサイプ６の他の例を示し、タイヤ幅方向に所定の間隔で設けたサイプ６の蹴り出し側端６ａをブロック内に位置させたサイプ６Ｍと横溝３に連通するサイプ６Ｎを交互に配置したものである。このような配置にしたサイプ６を蹴り出し側の領域４Ｘにのみ設けるようにしてもよい。なお、本発明で言う蹴り出し側の領域４Ｘとは、接地表面４ａの蹴り出し側端ａから接地表面４ａの周方向長さＬの４０％の位置までの領域である。
【００１７】
本発明において、タイヤ周方向Ｔに延在するサイプ６は、上記実施形態ではタイヤ周方向Ｔに沿って延在、即ち、タイヤ周方向Ｔに対して０°で延在する例を示したが、タイヤ周方向Ｔに対して０〜４５°の範囲で延在させることができる。４５°を超えると、サイプ６の開きを効果的に抑制することが難しくなる。
【００１８】
本発明は、特に氷雪路用空気入りタイヤに好ましく用いることができるが、それに限定されず、例えば、１年を通して使用されるオールシーズン用の空気入りタイヤなどにも好適に用いることができる。
【００１９】
【実施例】
タイヤサイズを１９５／６５Ｒ１５で共通にし、蹴り出し側の領域にのみタイヤ周方向に延在するサイプを設けた図１に示す構成の本発明タイヤ、本発明タイヤにおいて、踏み込み側端部にもタイヤ周方向に延在するサイプを設け、蹴り出し側と踏み込み側との間の中間領域にタイヤ幅方向に延在するサイプを配置した比較タイヤ、及び本発明タイヤにおいてタイヤ幅方向に延在するサイプのみを設けた従来タイヤをそれぞれ作製した。
【００２０】
これら各試験タイヤをリムサイズ６．５Ｊのリムに装着し、空気圧を２００ｋＰａ  にして、排気量２０００ｃｃの後輪駆動車に取り付け、以下に示す方法により、制動性能の評価試験を行ったところ、表１に示す結果を得た。
制動性能
氷雪路テストコースにおいて、時速４０ｋｍ／ｈから制動を付与して停止するまでの走行距離を測定し、その結果を従来タイヤを１００とする指数値で評価した。この値が大きいほど、氷雪路における制動性能が優れている。
【００２１】
【表１】
2004345433.tif 000003
表１から、本発明タイヤは、氷雪路における制動性能を改善できることがわかる。
【００２２】
【発明の効果】
上述したように本発明は、ブロックの接地表面の蹴り出し側の領域にのみタイヤ周方向に延在するサイプを設け、蹴り出し側の領域より踏み込み側に位置する領域にはタイヤ幅方向に延在するサイプを設けたので、制動時のサイプによる吸水効果を改善し、氷雪路走行時の制動性能を向上することができる。
【図面の簡単な説明】
【図１】本発明の空気入りタイヤの一実施形態を示すトレッド面の要部展開図である。
【図２】タイヤ周方向に延在するサイプの他の例を示すブロックの拡大平面図である。
【符号の説明】
１  トレッド面                    ２  主溝
３  横溝                          ４  ブロック
４ａ  接地表面                    ４Ｘ  蹴り出し側の領域
４Ｙ  踏み込み側に位置する領域    ５  サイプ
５ｚ  屈曲部                      ６，６Ｍ，６Ｎ  サイプ
６ａ  蹴り出し側端                ６ｂ  屈曲部
Ｔ  タイヤ周方向
【図１】
2004345433.tif 000004
【図２】
2004345433.tif 000005